(57)【特許請求の範囲】
【請求項１】
光ファイバケーブルのコアに形成されたスリットの中からテープ心を引き出す光ファイバケーブルテープ心引出工具において、長板状に形成され一端に両面テープを張り付けて上記スリット内に挿入させるテープ心引出部と、該テープ心引出部の他端に固定され、両面テープロールを引出し自在に収納すると共に、引き出した両面テープを切断するカッタを有する両面テープ収納部とを備えたことを特徴とする光ファイバケーブルテープ心引出工具。
【発明の詳細な説明】
【０００１】
【発明の属する技術分野】
本発明は、光ファイバケーブルのコアに形成されたスリットの中からテープ形の光ファイバ心線（以下、テープ心という）を引き出す光ファイバケーブルテープ心引出工具に関するものである。
【０００２】
【従来の技術】
光ファイバケーブルには、プラスチック等の可撓性を有する材料からなるコアに長手方向に延びるスリットを複数形成し、各スリットの中にテープ心を収めて保護するようにしたタイプのものがある。
【０００３】
一般的に光ファイバは、傷つきやすく脆弱であるため、光ファイバケーブルのコアのスリットからテープ心を傷つけないように引き出す作業は困難であり、神経を使うものであった。
【０００４】
【発明が解決しようとする課題】
しかしながら、スリットからテープ心を容易に引き出すことのできる工具は特になく、スリットからテープ心を傷つけることなく容易に引き出すことのできる工具の出現が待たれていた。
【０００５】
そこで、本発明の目的は、上記課題を解決し、光ファイバケーブルのコアのスリットからテープ心を傷つけることなく容易に引き出すことができる光ファイバケーブルテープ心引出工具を提供することにある。
【０００６】
【課題を解決するための手段】
上記目的を達成するために本発明は、光ファイバケーブルのコアに形成されたスリットの中からテープ心を引き出す光ファイバケーブルテープ心引出工具において、長板状に形成され一端に両面テープを張り付けて上記スリット内に挿入させるテープ心引出部と、該テープ心引出部の他端に固定され、両面テープロールを引出し自在に収納すると共に、引き出した両面テープを切断するカッタを有する両面テープ収納部とを備えたものである。
【０００７】
【発明の実施の形態】
本発明の好適実施の形態を添付図面に基づいて詳述する。
【０００８】
図１及び図２に示すように、光ファイバケーブルテープ心引出工具１は、長板状に形成されたテープ心引出部２と、テープ心引出部２の他端に固定され、両面テープロール３を引出し自在に収納する両面テープ収納部４とからなる。
【０００９】
テープ心引出部２は、図４に示すように、両面テープ収納部４から長板状に突出する長板部５に、長板部５と同じ形状に形成された補強用板６を重ね合わせ、長板部５と補強用板６の外周を、樹脂コーティングされたテープ７で覆ってなるものであり、両面テープが剥がれ易いようになっている。
【００１０】
補強用板６は、長板部５の先端を若干突出させるようにして長板部５に重ね合わされており、突出された長板部５の先端は、テープ心２１を傷めないように角を丸めて形成されている。また、両面テープ収納部４、長板部５及び補強用板６は、それぞれアクリル、ＰＥＴ（ポリエチレン  テレフタレイト）などの弾性を有する材料で形成されている。
【００１１】
図１及び図２に示すように、両面テープ収納部４は、内部に両面テープロール３を回転可能に収容する箱体８からなり、両面テープロール３の外周側に位置される一つの辺９（以下、底辺９という）を外方に突出させて長板部５を形成している（以下、長板部５の突出方向を前方とする）。
【００１２】
箱体８は、底辺９と向かい合う辺を開放して形成され両面テープロール３を出入れするための開口１０と、開口１０を開閉自在に閉じる蓋板１１と、箱体８内に収容された両面テープロール３のテープ端１２を外方に突出させるためのテープ引出口１３とを有する。
【００１３】
図１、図２及び図３に示すように、蓋板１１は、箱体８の一方の側面１４を延長させて形成されており、向かい合う他方の側面１５に向けて折り曲げることにより開口１０を閉じるようになっている。また、蓋板１１の先端部１６は、矢じり状に尖って形成されている。そして、蓋板１１は、他方の側面１５の上縁で側面１５に沿って折れ曲がるように形成されており、蓋板１１の先端部１６が側面１５の中央付近まで至るようになっている。
【００１４】
蓋板１１の先端部１６が位置される側面１５には、蓋板１１の先端部１６を固定するための係止部１７が形成されている。係止部１７は、側面の中央近傍に横長のスリット状の穴１８を形成してなるものであり、蓋板１１の先端部１６を箱体８の内側に向けて差し込むことにより蓋板１１が係止され開口１０が塞がれるようになっている。
【００１５】
テープ引出口１３は、箱体８の後面１９上部と蓋板１１後部をそれぞれ切り欠いて形成されており、テープ引出口１３に臨む後面の上端には、引き出した両面テープ２６（テープ端１２）を切断するためのカッタ２０が設けられている。
【００１６】
次に作用を述べる。
【００１７】
光ファイバケーブル２２からテープ心２１を引き出す場合、光ファイバケーブル２２のシース２５を剥いて、コア２３を露出させる。その後、両面テープ収納部４からテープ端１２を５ｃｍ程度引き出し、カッタ２０に押し当てて切り取る。切り取った両面テープ２６は、テープ心引出部２の上面２７から先端を経由して下面（図示せず）に貼り付け、両面テープ２６の表面に付いているはくり紙（図示せず）を剥がす。
【００１８】
そして、テープ心引出部２の先端を光ファイバケーブル２２のコア２３のスリット２４に挿入し、テープ心引出部２の先端の両面テープ２６にテープ心２１を付着させ、テープ心２１ごとテープ心引出部２をスリット２４から引き出す。このことにより、テープ心２１を何等傷つけることなくスリット２４から容易に引き出すことができ、他のスリット２４内に収容されているテープ心２１についても同様にして引き出すことができる。
【００１９】
テープ心引出部２に貼り付けた両面テープ２６の粘着力が弱くなった場合、テープ心引出部２の両面テープ２６を新たな両面テープ２６に交換する。両面テープ２６の交換は、粘着力の弱くなった両面テープ２６をテープ心引出部２から剥がし取り、上述の手順で両面テープ収納部４から新たな両面テープ２６を切り取ってテープ心引出部２に貼り付け、はくり紙を剥がすことで何等道具を用いることなく容易に行うことができる。このため、特に高所など両手が塞がれやすく作業性の悪い場所において、作業性を格段に改善することができる。
【００２０】
両面テープ収納部４内の両面テープロール３の交換は、箱体８の開口１０を塞いでいる蓋板１１を開いて行う。蓋板１１を開く場合、蓋板１１の先端部１６を係止部１７から上方に引き抜いて外し、図３に示すように、上方に展開させることで行う。
【００２１】
両面テープロール３を新しいものに交換したら、再び蓋板１１を閉じ、蓋板１１の先端部１６を係止部１７の穴１８の中に挿入して係止する。
【００２２】
なお、係止部１７は、蓋板１１の先端部１６と両面テープ収納部４内の側面に一対のホックを設けてなるものとしてもよく、蓋板１１を確実かつ容易に係止できるものであれば他の係止手段であってもよい。
【００２３】
【発明の効果】
以上要するに本発明によれば、次のような優れた効果を奏する。
【００２４】
（１）光ファイバケーブルのコアのスリット内に収容されたテープ心を傷つけることなく容易に引き出すことができる。
【００２５】
（２）テープ心引出部に貼り付けた両面テープを容易に交換することができる。
【図面の簡単な説明】
【図１】本発明の好適実施の形態を示す光ファイバケーブルテープ心引出工具の斜視図である。
【図２】両面テープロールを取り外した状態の光ファイバケーブルテープ心引出工具の斜視図である。
【図３】図２のIII −III 線矢視図である。
【図４】図２の展開図である。
【符号の説明】
１  光ファイバケーブルテープ心引出工具
２  テープ心引出部
３  両面テープロール
４  両面テープ収納部
２０  カッタ
２１  テープ心
２２  光ファイバケーブル
２３  コア
２４  スリット
２６  両面テープ
【図１】
0003799129.tif 000002
【図２】
0003799129.tif 000003
【図３】
0003799129.tif 000004
【図４】
0003799129.tif 000005